(57)【要約】【課題】それぞれコンプレッサを有する複数の冷熱装置が１つの電源に接続される場合であっても簡易な構成で各コンプレッサの同時起動を抑制することができること。【解決手段】各冷熱ユニット４０ａ，４０ｂの冷熱制御部４３ａ，４３ｂは、予め各冷熱ユニット４０ａ，４０ｂ間の上下関係を設定する設定部４５ａ，４５ｂと、コンプレッサを起動する際に前記上下関係に対応した異なる期間、他の冷熱ユニットに抑制信号を出力するとともに、他の冷熱ユニットからの抑制信号を自冷熱ユニットに入力する入出力部４４ａ，４４ｂと、を備え、自冷熱ユニットのコンプレッサの起動要求を受け、かつ、他の冷熱ユニットからの抑制信号が入力されていない場合に、前記上下関係に対応した期間、前記抑制信号を他の冷熱ユニットに出力し、該抑制信号の出力完了とともに自冷熱ユニットのコンプレッサを起動させる制御を行う。【選択図】図２
2015230155.tif 000002
【特許請求の範囲】
【請求項１】
コンプレッサを有した冷熱回路をそれぞれ有するとともに１つの電源にそれぞれが接続された複数の冷熱ユニットにそれぞれ１以上の冷熱対象が接続される冷熱装置であって、
各冷熱ユニットの冷熱制御部は、
予め各冷熱ユニット間の上下関係を設定する設定部と、
前記コンプレッサを起動する際に前記上下関係に対応した異なる期間、他の冷熱ユニットに抑制信号を出力するとともに、他の冷熱ユニットからの抑制信号を自冷熱ユニットに入力する入出力部と、
を備え、自冷熱ユニットのコンプレッサの起動要求を受け、かつ、他の冷熱ユニットからの抑制信号が入力されていない場合に、前記上下関係に対応した期間、前記抑制信号を他の冷熱ユニットに出力し、該抑制信号の出力完了とともに自冷熱ユニットのコンプレッサを起動させる制御を行うことを特徴とする冷熱装置。
【請求項２】
前記期間のうちの最も短い期間は、前記コンプレッサの起動時の電流が定常状態の電流に戻るまでの期間を超えることを特徴とする請求項１に記載の冷熱装置。
【請求項３】
前記冷熱対象は、前記冷熱ユニットから流入する冷熱媒体によって蓄冷熱材を畜冷熱し、この蓄冷熱材によって保冷熱対象物が収容される保冷熱空間を所望温度範囲に保持する可搬で開閉扉を有した運搬箱であることを特徴とする請求項１または２に記載の冷熱装置。
【請求項４】
コンプレッサを有した冷熱回路をそれぞれ有するとともに１つの電源にそれぞれが接続された複数の冷熱ユニットにそれぞれ１以上の冷熱対象が接続される冷熱装置の制御方法であって、
各冷熱ユニットの冷熱制御部は、
自冷熱ユニットのコンプレッサの起動要求を受け、かつ、他の冷熱ユニットからの抑制信号が入力されていない場合に、予め設定される前記冷熱ユニット間の上下関係に対応した期間、前記抑制信号を他の冷熱ユニットに出力し、該抑制信号の出力完了とともに自冷熱ユニットのコンプレッサを起動させる制御を行うことを特徴とする冷熱装置の制御方法。
【発明の詳細な説明】
【技術分野】
【０００１】
本発明は、それぞれコンプレッサを有する複数の冷熱装置が１つの電源に接続される場合であっても簡易な構成で各コンプレッサの同時起動を抑制することができる冷熱装置及び冷熱装置の制御方法に関する。
【背景技術】
【０００２】
従来、生鮮食品等、冷蔵や冷凍が必要な物品の輸送に用いられる保冷庫（保冷コンテナ）としては、収納庫本体と、庫内を熱媒体により冷却する熱交換器と、この熱交換器から庫外の熱源機に亘り熱媒体を流動させる着脱自在な接続手段とを備えた可動式の収納庫がある（特許文献１参照）。
【０００３】
ここで、収納庫内を熱媒体によって冷熱する冷熱装置には、１つの電源に接続され、かつ、複数のコンプレッサを有する冷熱装置がある。この冷熱装置では、コンプレッサモータを同時に起動すると、起動電流が規定値を超えて大きくなるため、各コンプレッサの起動をずらす制御を行っている。
【０００４】
例えば、特許文献２では、車両に、エンジンにより駆動される発電機を用いた１つの電源部を設け、かつ、車両の荷台に冷却機を内蔵するコールドロールボックスを接続する複数の電源コンセントを配設するとともに、電源部と各電源コンセントとの間に、各コールドロールボックスの電源コードに装着した着脱可能な変流器から得る再起動信号に基づいて、各コールドロールボックスを一台単位で独立して起動させ、かつ、所定のインターバル時間により各コールドボックスの起動間隔を制御するものが記載されている。
【０００５】
すなわち、特許文献２では、それぞれコンプレッサを内蔵するコールドロールボックスが１つの電源に接続される場合、各コールドロールボックスの起動タイミングを異ならせて、複数のコールドロールボックスのコンプレッサが同時に起動されないようにし、電源部の容量が、コールドロールボックス１台分の起動電流のみで済むようにしている。
【先行技術文献】
【特許文献】
【０００６】
【特許文献１】特開２００８−２８６４８５号公報
【特許文献２】特開平５−１８７３号公報
【発明の概要】
【発明が解決しようとする課題】
【０００７】
しかしながら、上述した特許文献２に記載されたものでは、各コールドロールボックスが同時に起動されないように制御するための制御部を各コールドロールボックスの他に設ける必要があるとともに、コンプレッサの再起動信号を検出するための変流器を設ける必要があるため、装置構成が複雑となり、大型化せざるを得ない。
【０００８】
本発明は、上記に鑑みてなされたものであって、それぞれコンプレッサを有する複数の冷熱装置が１つの電源に接続される場合であっても簡易な構成で各コンプレッサの同時起動を抑制することができる冷熱装置及び冷熱装置の制御方法を提供することを目的とする。
【課題を解決するための手段】
【０００９】
上述した課題を解決し、目的を達成するために、本発明にかかる冷熱装置は、コンプレッサを有した冷熱回路をそれぞれ有するとともに１つの電源にそれぞれが接続された複数の冷熱ユニットにそれぞれ１以上の冷熱対象が接続される冷熱装置であって、各冷熱ユニットの冷熱制御部は、予め各冷熱ユニット間の上下関係を設定する設定部と、前記コンプレッサを起動する際に前記上下関係に対応した異なる期間、他の冷熱ユニットに抑制信号を出力するとともに、他の冷熱ユニットからの抑制信号を自冷熱ユニットに入力する入出力部と、を備え、自冷熱ユニットのコンプレッサの起動要求を受け、かつ、他の冷熱ユニットからの抑制信号が入力されていない場合に、前記上下関係に対応した期間、前記抑制信号を他の冷熱ユニットに出力し、該抑制信号の出力完了とともに自冷熱ユニットのコンプレッサを起動させる制御を行うことを特徴とする。
【００１０】
また、本発明にかかる冷熱装置は、上記の発明において、前記期間のうちの最も短い期間は、前記コンプレッサの起動時の電流が定常状態の電流に戻るまでの期間を超えることを特徴とする。
【００１１】
また、本発明にかかる冷熱装置は、上記の発明において、前記冷熱対象は、前記冷熱ユニットから流入する冷熱媒体によって蓄冷熱材を畜冷熱し、この蓄冷熱材によって保冷熱対象物が収容される保冷熱空間を所望温度範囲に保持する可搬で開閉扉を有した運搬箱であることを特徴とする。
【００１２】
また、本発明にかかる冷熱装置の制御方法は、コンプレッサを有した冷熱回路をそれぞれ有するとともに１つの電源にそれぞれが接続された複数の冷熱ユニットにそれぞれ１以上の冷熱対象が接続される冷熱装置の制御方法であって、各冷熱ユニットの冷熱制御部は、自冷熱ユニットのコンプレッサの起動要求を受け、かつ、他の冷熱ユニットからの抑制信号が入力されていない場合に、予め設定される前記冷熱ユニット間の上下関係に対応した期間、前記抑制信号を他の冷熱ユニットに出力し、該抑制信号の出力完了とともに自冷熱ユニットのコンプレッサを起動させる制御を行うことを特徴とする。
【発明の効果】
【００１３】
本発明によれば、各冷熱ユニットの冷熱制御部が、自冷熱ユニットのコンプレッサの起動要求を受け、かつ、他の冷熱ユニットからの抑制信号が入力されていない場合に、予め設定される前記冷熱ユニット間の上下関係に対応した期間、前記抑制信号を他の冷熱ユニットに出力し、該抑制信号の出力完了とともに自冷熱ユニットのコンプレッサを起動させる制御を行うようにしている。したがって、各冷熱ユニットが１つの電源に接続される場合であっても簡易な構成で各冷熱ユニットのコンプレッサの同時起動を抑制することができる。
【図面の簡単な説明】
【００１４】
【図１】図１は、本発明の実施の形態である冷熱装置が冷熱対象とする運搬箱を用いた物流サイクルの概要を示す模式図である。
【図２】図２は、配送センターにおける冷熱装置と運搬箱との接続状態及び構成を示すブロック図である。
【図３】図３は、断熱箱体の断面構造を示す断面図である。
【図４】図４は、冷熱制御部によるコンプレッサ起動に関する冷熱制御処理手順を示すフローチャートである。
【図５】図５は、冷熱制御部によるコンプレッサ起動に関する冷熱制御処理の一例を示すタイムチャートである。
【発明を実施するための形態】
【００１５】
以下、添付図面を参照してこの発明を実施するための形態について説明する。
【００１６】
（物流サイクルの概要）
まず、本発明の実施の形態である冷熱装置が冷熱対象とする運搬箱を用いた物流サイクルの概要について説明する。図１は、本発明の実施の形態である冷熱装置が冷熱対象とする運搬箱を用いた物流サイクルの概要を示す模式図である。図１に示すように、商品１０１が納入される複数の配送センター１１０と商品を陳列する店舗１２０との間で、再利用される複数の運搬箱１内に商品１０１が収納されてトラック１１１によって店舗１２０に配送され、空になった運搬箱１がトラック１１２によって配送センター１１０に返送される。なお、店舗１２０で空になった運搬箱１は他の配送センター１１０に返送されてもよい。
【００１７】
まず、配送センター１１０では、配送元から商品１０１が納入される。配送センター１１０では、その商品１０１を荷受けし、店舗別の仕分けを行う。仕分けされた商品１０１は、配送先の店舗１２０に送られる運搬箱１内に収納される。運搬箱１内は、商品１０１が収納される保冷熱空間が空であって冷熱材によって所望温度に保持されている。トラック１１１は、商品１０１が収納された運搬箱１を積み込んで、配送先の店舗１２０に配送する。配送先の店舗１２０では、運搬箱１をトラック１１１から降ろし、運搬箱１内の商品１０１を取り出す。取り出された商品１０１は、ショーケースなどに陳列される。空になった運搬箱１は、店舗１２０内に一時保留される。配送したトラック１１１は、トラック１１２として前回、一時保留されていた運搬箱１を積載して運搬箱１を配送センター１１０に返送する。
【００１８】
ここで、店舗１２０には、情報収集装置３０が配置される。商品１０１が取り出されて空になった運搬箱１は、情報収集装置３０に通信接続される。情報収集装置３０は、運搬箱１が配送時に取得した温度履歴などの運搬箱履歴情報を運搬箱識別情報とともにネットワークＮを介して上位情報管理装置１３０に送出する。
【００１９】
一方、配送センター１１０には、情報収集装置３０と冷熱装置４０とが配置される。トラック１１２によって返送された空の運搬箱１は、トラック１１２から降ろされると、情報収集装置３０および冷熱装置４０に接続される。情報収集装置３０は、商品１０１が収納されてから現在までの温度履歴を含む運搬箱履歴情報を運搬箱識別情報とともにネットワークＮを介して上位情報管理装置１３０に送出する。冷熱装置４０は、接続された運搬箱１内に冷熱媒体を流入して蓄冷熱材を蓄冷熱し、保冷熱空間を所望温度にする。この所望温度に設定された空の運搬箱１は、再び商品１０１の配送のための運搬箱１として再利用される。
【００２０】
ネットワークＮに接続された上位情報管理装置１３０は、配送センター１１０や店舗１２０の情報収集装置３０から送られた運搬箱履歴情報および運搬箱識別情報を用いて、運搬された商品１０１の温度管理状態などを分析する。
【００２１】
（冷熱装置及び運搬箱）
図２は、配送センター１１０における冷熱装置４０と運搬箱１との接続状態及び構成を示すブロック図である。図２に示すように、冷熱装置４０は、２つの冷熱ユニット４０ａ，４０ｂを有し、それぞれは電源ケーブル４６を介して１つの電源に接続されている。各冷熱ユニット４０ａ，４０ｂは、それぞれ冷熱回路４１ａ，４１ｂ及び冷熱制御部４３ａ，４３ｂを有する。
【００２２】
冷熱ユニット４０ａの冷熱回路４１ａは、２つの運搬箱１ａ，１ｂに、それぞれ冷熱配管Ｌ２ａ，Ｌ２ｂ及び接続部Ｃ２を介して接続される。また、冷熱ユニット４０ｂの冷熱回路４１ｂは、２つの運搬箱１ｃ，１ｄに、それぞれ冷熱配管Ｌ２ｃ，Ｌ２ｄ及び接続部Ｃ２を介して接続される。
【００２３】
各冷熱回路４１ａ，４１ｂは、例えば、図示しない圧縮機、凝縮器、膨張弁、及び蒸発器等を備える公知の冷凍サイクル装置である。圧縮機（コンプレッサ）は、各冷熱回路４１ａ，４１ｂ内にコンプレッサモータ４２ａ，４２ｂを有する。各冷熱回路４１ａ，４１ｂは、冷熱制御部４３ａ，４３ｂの制御のもと、例えば、冷熱媒体を所望の温度域まで急速冷却し、この急速冷却された冷熱媒体を、各冷熱配管Ｌ２ａ，Ｌ２ｂ，Ｌ２ｃ，Ｌ２ｄを介して各運搬箱１ａ，１ｂ，１ｃ，１ｄの各冷熱器２１ａ，２１ｂ，２１ｃ，２１ｄに供給する。各冷熱器２１ａ，２１ｂ，２１ｃ，２１ｄは、各畜冷熱材２２ａ，２２ｂ，２２ｃ，２２ｄに対する畜冷熱を行い、各畜冷熱材２２ａ，２２ｂ，２２ｃ，２２ｄによって保冷熱空間２３が所望温度に維持される。なお、各冷熱回路４１ａ，４１ｂには、冷熱媒体を流通させるための図示しない循環ポンプが設けられている。また、冷熱媒体は、水や不凍液等、いわゆるブラインと呼ばれる熱媒体である。
【００２４】
各冷熱制御部４３ａ，４３ｂは、入出力部４４ａ，４４ｂ及び設定部４５ａ，４５ｂを有する。各設定部４５ａ，４５ｂは、予め各冷熱ユニット４０ａ，４０ｂ間の上下関係を設定する。例えば、設定部４５ａは、冷熱ユニット４０ａを上位（親ユニット）として設定し、設定部４５ｂは、冷熱ユニット４０ｂを下位（子ユニット）として設定する。また、入出力部４４ａ，４４ｂは、相互に通信線で接続される。なお、入出力部４４ａ，４４ｂ間は、全二重方式であることが好ましい。入出力部４４ａ，４４ｂは、各冷熱回路４１ａ，４１ｂ内のコンプレッサモータ４２ａ，４２ｂを起動することによってコンプレッサを起動する際に前記上下関係に対応した異なる期間、他の冷熱ユニットに抑制信号を出力するとともに、他の冷熱ユニットからの抑制信号を自冷熱ユニットに入力する。そして、各冷熱制御部４３ａ，４３ｂは、コンプレッサの起動要求を受け、かつ、他の冷熱ユニットからの抑制信号が入力されていない場合に、前記上下関係に対応した期間、前記抑制信号を他の冷熱ユニットに出力し、該抑制信号の出力完了とともに自冷熱ユニットのコンプレッサを起動させる制御を行う。
【００２５】
この各冷熱制御部４３ａ，４３ｂの制御によって、各冷熱ユニット４０ａ，４０ｂのコンプレッサの同時起動を抑制することができる。また、このコンプレッサの同時起動を抑制することで、電源容量を超える起動電流の発生を抑えることができ、冷熱装置４０が配置される設備のコンパクト化を図ることができる。
【００２６】
なお、各運搬箱１ａ，１ｂ，１ｃ，１ｄは、生鮮食品や医薬品などの保冷熱対象を収納する保冷熱空間２３を形成した断熱箱体である。各運搬箱１ａ，１ｂ，１ｃ，１ｄには、保冷熱空間２３の前面開口を開閉する、断熱性能を有した開閉扉２４が設けられている。開閉扉２４の開閉は、開閉センサ２７によって検出される。保冷熱空間２３内には、保冷熱空間２３内の温度を検出する温度センサ２５が複数、配置されている。また、各運搬箱１ａ，１ｂ，１ｃ，１ｄの下部には、キャスター２８が設けられ、運搬箱１の移動を容易にしている。
【００２７】
断熱箱体には、上述した冷熱器２１ａ，２１ｂ，２１ｃ，２１ｄと蓄冷熱材２２ａ，２２ｂ，２２ｃ，２２ｄとが配置される。冷熱器２１ａ，２１ｂ，２１ｃ，２１ｄは、それぞれ蓄冷熱材２２ａ，２２ｂ，２２ｃ，２２ｄを冷却・凍結、あるいは蓄熱させるものである。冷熱器２１ａ，２１ｂ，２１ｃ，２１ｄは、冷熱媒体が流通する銅管などの金属配管を蛇行形状や渦巻形状などとし、天壁や側面等の平坦な内面に密着配置したものである。
【００２８】
蓄冷熱材２２ａ，２２ｂ，２２ｃ，２２ｄは、箱内を冷却あるいは蓄熱させるものである。蓄冷熱材２２は、例えば、例えば、ポリエチレン等の樹脂製のケース内に、水及びゲル化剤等を封入した公知のものを用いればよく、例えば、平板状に形成される。
【００２９】
図３は、断熱箱体の断面構造を示す断面図である。図３に示すように、箱外から箱内に向けて、順次、断熱材５１、真空断熱材５２、冷熱器２１（２１ａ，２１ｂ，２１ｃ，２１ｄ）、蓄冷熱材２２（２２ａ，２２ｂ，２２ｃ，２２ｄ）、金属板５３が重ねられている。断熱材５１は、例えば、発泡スチロールや発泡ウレタンによって形成される。真空断熱材５２は、例えば、芯材をラミネートフィルムによって被覆し、内部を真空状態に減圧して封止した公知のものを用いればよい。真空断熱材５２は、上記した発泡スチロール等の一般的な断熱材に比べ、極めて高い断熱性能を有する。金属板５３は、保冷熱空間２３を画成するものあり、蓄冷熱材２２に接触するように配置される。この金属板５３は、例えば、ステンレス板によって形成される。なお、図示していないが、一面が蓄冷熱材２２の外面側に密着配置され、他面が冷熱器２１の内面側に密着配置され金属板を設けることが好ましい。この金属板は、熱伝導率の良好な金属、例えば、アルミニウムや銅の板材によって形成され、冷熱器２１からの冷熱を蓄冷熱材２２へと効率よく伝達することが可能となる。
【００３０】
なお、各運搬箱１ａ，１ｂ，１ｃ，１ｄの情報管理部１０は、接続部Ｃ１、電源線を含む通信線Ｌ１を介して情報収集装置３０に接続される。情報管理部１０は、情報収集装置３０に接続された場合、電源線を介して図示しないバッテリーが充電される。情報管理部１０は、順次、温度センサ２５が検出した温度を時間経過とともに記録した温度履歴情報を運搬箱履歴情報の１つとして保持し、開閉センサ２７の開閉状態を時間経過とともに記録した開閉履歴情報を運搬箱履歴情報の１つとして保持し、情報収集装置３０が接続された場合に、これら保持した運搬箱履歴情報を情報収集装置３０に送出する。
【００３１】
また、情報管理部１０は、図示しないＬＥＤや液晶などの表示部を有し、例えば、保冷熱空間２３内の温度が所定時間、所望温度を保持した場合に、ＬＥＤを緑色点灯し、所望温度を保持していない場合に、ＬＥＤを赤色点灯する。
【００３２】
（コンプレッサ起動に関する冷熱制御処理）
つぎに、図４に示したフローチャートをもとに、コンプレッサ起動に関する冷熱制御処理手順について説明する。なお、この冷熱制御処理は、各冷熱制御部４３ａ，４３ｂが自律的に行うものである。図４に示すように、まず各冷熱制御部４３ａ，４３ｂは、各コンプレッサモータ４２ａ，４２ｂ、すなわちコンプレッサを起動する要求があるか否かを判断する（ステップＳ１０１）。コンプレッサを起動する要求がない場合（ステップＳ１０１，Ｎｏ）には、このステップＳ１０１の判断処理を繰り返す。一方、コンプレッサを起動する要求がある場合（ステップＳ１０１，Ｙｅｓ）には、さらに、抑制信号が入力されているか否かを判断する（ステップＳ１０２）。抑制信号が入力されている場合（ステップＳ１０２，Ｙｅｓ）には、このステップＳ１０２の判断処理を繰り返し、抑制信号の入力がなくなるまで待つ。
【００３３】
一方、抑制信号が入力されていない場合（ステップＳ１０１，Ｎｏ）には、さらに親ユニット（上位）に設定されているか否かを判断する（ステップＳ１０３）。親ユニットに設定されている場合（ステップＳ１０３，Ｙｅｓ）には、抑制信号を期間ｔＡ間、例えば、５秒間、他の冷熱ユニットに出力して（ステップＳ１０４）、ステップＳ１０６に移行する。一方、親ユニットに設定されていない場合（ステップＳ１０３，Ｎｏ）、すなわち、子ユニットに設定されている場合には、抑制信号を期間ｔＢ間、例えば、１０秒間、他の冷熱ユニットに出力して（ステップＳ１０５）、ステップＳ１０６に移行する。なお、期間ｔＡ，ｔＢは、異なる値である。また、期間ｔＡ，ｔＢの値の小さい方は、コンプレッサの起動時の電流が定常状態の電流に戻るまでの期間を超える値である。
【００３４】
その後、抑制信号の出力が完了したか否かを判断する（ステップＳ１０６）。抑制信号の出力が完了しない場合（ステップＳ１０６，Ｎｏ）には、このステップＳ１０６の処理を繰り返し、抑制信号の出力が完了するまで待つ。一方、抑制信号の出力が完了した場合（ステップＳ１０６，Ｙｅｓ）には、コンプレッサを起動する（ステップＳ１０７）。
【００３５】
その後、コンプレッサの停止があったか否かを判断する（ステップＳ１０８）。コンプレッサの停止がない場合（ステップＳ１０８，Ｎｏ）には、この判断処理を繰り返すことによって、コンプレッサの駆動状態を維持する。一方、コンプレッサの停止があった場合（ステップＳ１０８，Ｙｅｓ）には、ステップＳ１０１に移行し、上述した処理を繰り返す。
【００３６】
（コンプレッサ起動に関する冷熱制御処理の一例）
つぎに、図５に示すタイムチャートをもとに、コンプレッサ起動に関する冷熱制御処理の一例について説明する。この例では、冷熱ユニット４０ａが親ユニットに設定され、冷熱ユニット４０ｂが子ユニットに設定され、かつ、親ユニット側にコンプレッサの起動要求が先に発生した場合を示している。
【００３７】
図５において、まず、親ユニット側に、時点ｔ１直前にコンプレッサの起動要求が発生した場合、この時点ｔ１直前で、子ユニット側から抑制信号が出力されていないため、親ユニット側には、抑制信号が入力されていない。このため、親ユニットは、自ユニットがコンプレッサの起動を行う権利を子ユニット側に知らせるため、抑制信号を子ユニット側に時点ｔ１からｔ３までの期間（ｔＡ間）、出力する。そして、親ユニットは、時点ｔ３において、抑制信号の出力を完了し、この時点ｔ３でコンプレッサを起動する。
【００３８】
一方、子ユニット側で、時点ｔ２においてコンプレッサの起動要求が発生した場合、子ユニット側では、この時点ｔ２で、親ユニット側から抑制信号が入力されているため、抑制信号を出力することができず、親ユニット側からの抑制信号の入力がなくなるまで、すなわち、時点ｔ３まで抑制信号の出力を保留する。その後、子ユニットは、時点ｔ３で親ユニット側からの抑制信号の入力がなくなると、抑制信号を親ユニット側に対し、時点ｔ３からｔ４までの期間（ｔＢ間）、出力する。そして、子ユニットは、時点ｔ４において、抑制信号の出力を完了し、この時点ｔ４でコンプレッサを起動する。
【００３９】
この結果、親ユニットのコンプレッサの起動は時点ｔ３で行われ、子ユニットのコンプレッサの起動は時点ｔ４で行われ、それぞれ異なった時点でコンプレッサが起動されることになる。
【００４０】
なお、期間ｔＡと期間ｔＢとは異なる期間としたが、これは、初期状態において、親ユニット（冷熱ユニット４０ａ）のコンプレッサと子ユニット（冷熱ユニット４０ｂ）のコンプレッサとに対してそれぞれ同時にコンプレッサ起動の要求が発生した場合、各冷熱ユニット４０ａ，４０ｂにはそれぞれ抑制信号が入力されていないため、各冷熱ユニット４０ａ，４０ｂが同時に抑制信号を出力することが考えられるからである。この場合、期間Ａと期間ｔＢとが同じ時間であると、同時にコンプレッサが起動されてしまう。これに対して、本実施の形態では、例えば、図５において、時点ｔ１の直前に冷熱ユニット４０ａ，４０ｂが同時にコンプレッサの起動要求が発生した場合、各冷熱ユニット４０ａ，４０ｂは、時点ｔ１から同時に抑制信号を出力するが、抑制信号を出力する期間ｔＡ，ｔＢが異なるため、確実にコンプレッサの同時起動を防止することができる。
【００４１】
なお、上述した実施の形態では、２つの冷熱ユニット４０ａ，４０ｂについて説明したが、３以上の冷熱ユニットにも適用することができる。この場合、各冷熱ユニットの設定部に、上下関係を設定するとともに、この上下関係に対応して抑制信号の出力期間を異ならせておけばよい。すなわち、冷熱ユニット４０ａ，４０ｂは、簡易な構成で自律的にコンプレッサの同時起動の抑制制御を行うことができるので、冷却ユニットの増設も容易に行うことができる。
【符号の説明】
【００４２】
１，１ａ，１ｂ，１ｃ，１ｄ  運搬箱
１０  情報管理部
２１，２１ａ，２１ｂ，２１ｃ，２１ｄ  冷熱器
２２，２２ａ，２２ｂ，２２ｃ，２２ｄ  蓄冷熱材
２３  保冷熱空間
２４  開閉扉
２５  温度センサ
２７  開閉センサ
２８  キャスター
３０  情報収集装置
４０  冷熱装置
４０ａ，４０ｂ  冷熱ユニット
４１ａ，４１ｂ  冷熱回路
４２ａ，４２ｂ  コンプレッサモータ
４３ａ，４３ｂ  冷熱制御部
４４ａ，４４ｂ  入出力部
４５ａ，４５ｂ  設定部
４６  電源ケーブル
５１  断熱材
５２  真空断熱材
５３  金属板
１０１  商品
１１０  配送センター
１１１，１１２  トラック
１２０  店舗
１３０  上位情報管理装置
Ｃ１，Ｃ２  接続部
Ｌ１  通信線
Ｌ２ａ，Ｌ２ｂ，Ｌ２ｃ，Ｌ２ｄ  冷熱配管
Ｎ  ネットワーク
ｔ１〜ｔ４  時点
ｔＡ，ｔＢ  期間
【図１】
2015230155.tif 000003
【図２】
2015230155.tif 000004
【図３】
2015230155.tif 000005
【図４】
2015230155.tif 000006
【図５】
2015230155.tif 000007